(57)【要約】【課題】引出し側レール部に傷が付くことを抑制することができる引出し構造および移動規制部材を提供する。【解決手段】引出し構造１は、収納本体と、レール３と、ローラー４と、引出し５と、移動規制体６と、を備え、引出し５は、一対の側パネル部５１と、引出し側レール部５２と、係合片部５３と、を有し、レール３は、側板２１に固定される固定部３１と、固定部３１の上端部から幅方向の内側に折曲され、引出し側レール部５２の上方に配置された上部片部３３と、を有し、一対の側板２１のうち幅方向の他方側の側板２１Ｂに設けられるレール３には、上部片部３３から下方に折曲された折返し片部３４が設けられ、移動規制部６２は、一対の側板２１のうち幅方向の一方側に配置される側板２１Ａに設けられ、移動規制部６２の下部は、レール３の上部片部３３よりも下方、且つ引出し５の引出し側レール部５２よりも上方に配置されていることを特徴とする。【選択図】図３
2020179027.tif 000002
【特許請求の範囲】
【請求項１】
幅方向に離間して配置された一対の側板を有し、前方に開口する収納本体と、
前記一対の側板に設けられ、前後方向に延びるレールと、
該レールに設けられたローラーと、
該ローラーに支持され、前記前後方向にスライド可能とされた引出しと、
該引出しの前記幅方向の一方側への移動を規制する移動規制部を有する移動規制体と、を備え、
前記引出しは、
前記幅方向に離間して配置された一対の側パネル部と、
該一対の側パネル部から前記幅方向の外側に折曲され、前記ローラーに前記前後方向にスライド可能に支持された引出し側レール部と、
該引出し側レール部から下方に折曲され、前記側板と前記ローラーとの間に配置された係合片部と、を有し、
前記レールは、
前記側板に固定される固定部と、
該固定部の上端部から前記幅方向の内側に折曲され、前記引出し側レール部の上方に配置された上部片部と、を有し、
前記一対の側板のうち前記幅方向の他方側の前記側板に設けられる前記レールには、前記上部片部から下方に折曲された折返し片部が設けられ、
前記移動規制部は、前記一対の側板のうち前記幅方向の一方側の前記側板に設けられ、
前記移動規制部の下部は、前記レールの前記上部片部よりも下方、且つ前記引出しの前記引出し側レール部よりも上方に配置されていることを特徴とする引出し構造。
【請求項２】
前記移動規制体は、前記一方側の側板に沿って配置された基部を有し、
前記移動規制部は、前記基部から前記幅方向の他方側に突出し、上下方向に延在し、先端部が尖ったリブ形状をなしている請求項１に記載の引出し構造。
【請求項３】
前記移動規制体は、
前記移動規制部の下方に設けられ、前記引出しの前記係合片部と前記側板との間に配置される下向き片部を有する請求項１または２に記載の引出し構造。
【請求項４】
前記移動規制体は、前記レールに着脱可能に設けられている請求項１から３のいずれか一項に記載の引出し構造。
【請求項５】
前記移動規制体は、
前記一対の側板のうち前記一方側の側板に螺子で固定される螺子固定部と、
該螺子固定部の上方に設けられ、前記側板に沿う取付補助部を有する請求項１から４のいずれか一項に記載の引出し構造。
【請求項６】
収納本体の側板に設けられたレールのローラーに沿って前後方向にスライド可能に設けられた引出しの幅方向への移動を規制するとともに、前記レールに着脱可能に設けられた移動規制部材であって、
前記側板に固定される固定部と、
該固定部から前記側板側と反対側に突出し、上下方向に延在し、先端部が尖ったリブ形状をなす移動規制部と、を備えることを特徴とする移動規制部材。
【発明の詳細な説明】
【技術分野】
【０００１】
本発明は、引出し構造および移動規制部材に関するものである。
【背景技術】
【０００２】
従来から、キッチンのカウンター等には引出しが設けられている。例えば、下記の特許文献１に記載のキャビネットでは、キャビネット本体の側壁にキャビネット側レールが設けられ、引出しに引出し側レールが設けられている。引出しに設けられたローラーがキャビネット側レール上を転動するとともに、キャビネットに設けられたローラーが引出し側レールの下面に沿って転動して、引出しが前後方向にスライド可能とされている。幅方向一方側（左側）のキャビネット側レールには、引出しに設けられたローラーがキャビネット側レールから脱落するのを防止する脱落防止片が設けられている。
【０００３】
特許文献１では、キャビネット本体の側壁に移動規制用回転ローラーが設けられ、このローラーが引出しの側面に当接することで、引出しの幅方向の移動が規制されている。また、引出しの幅方向の移動を規制するために、引出し側レールの幅方向の先端部に下方に向かって延びる下向き壁部が設けられ、下向き壁部と引出しの側板とでキャビネットに設けられたローラーを挟み込む構成も知られている。
【先行技術文献】
【特許文献】
【０００４】
【特許文献１】特開２０１５−１００４７０号公報
【発明の概要】
【発明が解決しようとする課題】
【０００５】
しかしながら、上記の引出しの下向き壁部と引出しの側板とでキャビネットに設けられたローラーを挟み込む構成では、使用者が引出しを前方に引き出す際に、引出しを幅方向の一方側に寄せて引き出してしまうと、下向き壁部がキャビネットに設けられたローラー上に乗り上げてしまうことがある。引出しを、幅方向のうちキャビネット側レールの脱落防止片が設けられている側と反対側（右側）に寄せて引き出してしまうと、幅方向の他方側（左側）で、引出しの下向き壁部がキャビネットに設けられたローラー上に乗り上げてしまい、引出し側レールが脱落防止片に当接して、引出し側レールに傷が付いてしまうという問題点がある。
【０００６】
そこで、本発明は、上記事情に鑑みてなされたものであり、引出し側レール部に傷が付くことを抑制することができる引出し構造および移動規制部材を提供する。
【課題を解決するための手段】
【０００７】
上記目的を達成するために、本発明は以下の手段を採用している。
すなわち、本発明に係る引出し構造は、幅方向に離間して配置された一対の側板を有し、前方に開口する収納本体と、前記一対の側板に設けられ、前後方向に延びるレールと、該レールに設けられたローラーと、該ローラーに支持され、前記前後方向にスライド可能とされた引出しと、該引出しの前記幅方向の一方側への移動を規制する移動規制部を有する移動規制体と、を備え、前記引出しは、前記幅方向に離間して配置された一対の側パネル部と、該一対の側パネル部から前記幅方向の外側に折曲され、前記ローラーに前記前後方向にスライド可能に支持された引出し側レール部と、該引出し側レール部から下方に折曲され、前記側板と前記ローラーとの間に配置された係合片部と、を有し、前記レールは、前記側板に固定される固定部と、該固定部の上端部から前記幅方向の内側に折曲され、前記引出し側レール部の上方に配置された上部片部と、を有し、前記一対の側板のうち前記幅方向の他方側の前記側板に設けられる前記レールには、前記上部片部から下方に折曲された折返し片部が設けられ、前記移動規制部は、前記一対の側板のうち前記幅方向の一方側の前記側板に設けられ、前記移動規制部の下部は、前記レールの前記上部片部よりも下方、且つ前記引出しの前記引出し側レール部よりも上方に配置されていることを特徴とする。
【０００８】
このように構成された引出し構造では、使用者が引出しを前方に引き出す際に、引出しを幅方向の一方側に寄せて引き出してしまうと、引出しの幅方向の他方側の係合片部がローラー上に乗り上げて、引出しは幅方向の一方側に変位しようとする。幅方向の一方側では、引出しの引出し側レール部または係合片部が、引出し側レール部よりも上方に設けられた移動規制部の下部に当接する。これにより、引出しの幅方向の一方側への移動が規制される。よって、幅方向の他方側において、引出しの係合片部がローラー上に乗り上げることがなく、レールの折返し片部が引出しの引出し側レール部に接触することがない。したがって、引出しの幅方向の他方側の引出し側レール部に傷がつくことを抑制することができる。
【０００９】
また、本発明に係る引出し構造では、前記移動規制体は、前記一方側の側板に沿って配置された基部を有し、前記移動規制部は、前記基部から前記幅方向の他方側に突出し、上下方向に延在し、先端部が尖ったリブ形状をなしていることが好ましい。
【００１０】
このように構成された引出し構造では、使用者が引出しを前方に引き出す際に、引出しを幅方向の一方側に寄せて引き出してしまうと、引出しの引出し側レール部または係合片部が、移動規制部の下部に当接する。移動規制部は、先端部が尖ったリブ形状をなしているため、引出し側レール部または係合片部と移動規制部との当接面積を小さくすることができる。よって、引出しを引き出す際の摩擦抵抗が抑えられるため、引出しをスムーズに引き出すことができる。
【００１１】
また、本発明に係る引出し構造では、前記移動規制体は、前記移動規制部の下方に設けられ、前記引出しの前記係合片部と前記側板との間に配置される下向き片部を有していてもよい。
【００１２】
このように構成された引出し構造では、使用者が引出しを前方に引き出す際に、引出しを幅方向の一方側に大きく寄せて引き出してしまうと、引出しの引出し側レール部または係合片部が、幅方向の一方側の側板に移動規制部よりも下方に設けられた下向き片部に当接する。下向き片部は係合片部と側板との間に配置されているため、引出しの引出し側レール部または係合片部が下向き片部に当接して、引出し幅方向の一方側への移動が規制される。よって、幅方向の他方側において、引出しの幅方向の他方側の係合片部がローラー上に乗り上げて、レールの折返し片部が引出しの引出し側レール部に接触することがない。したがって、引出しの幅方向の他方側の引出し側レール部に傷がつくことを抑制することができる。
【００１３】
また、本発明に係る引出し構造では、前記移動規制体は、前記レールに着脱可能に設けられていてもよい。
【００１４】
このように構成された引出し構造では、移動規制体はレールに着脱可能に設けられているため、既存のレールを用いて移動規制体を設置することができる。
【００１５】
また、本発明に係る引出し構造では、前記移動規制体は、前記一対の側板のうち前記一方側の側板に螺子で固定される螺子固定部と、該螺子固定部の上方に設けられ、前記側板に沿う取付補助部を有していてもよい。
【００１６】
このように構成された引出し構造では、移動規制体の螺子固定部を側板に取り付ける際には、作業者が取付補助部を側板側に押さえつけて取付作業を行うことができ、作業性が良い。
【００１７】
また、本発明に係る移動規制部材は、収納本体の側板に設けられたレールのローラーに沿って前後方向にスライド可能に設けられた引出しの幅方向への移動を規制するとともに、前記レールに着脱可能に設けられた移動規制部材であって、前記側板に固定される固定部と、該固定部から前記側板側と反対側に突出し、上下方向に延在し、先端部が尖ったリブ形状をなす移動規制部と、を備えることを特徴とする。
【００１８】
このように構成された移動規制部材では、使用者が引出しを前方に引き出す際に、引出しを幅方向の一方側に寄せて引き出してしまうと、引出しが、側板に設けられた移動規制部に当接する。これにより、引出しの幅方向の一方側への移動が規制される。よって、引出しの幅方向の他方側がローラー上に乗り上げて、引出しの幅方向の他方側がレールに接触することがなく、引出しの幅方向の他方側に傷がつくことを抑制することができる。
【発明の効果】
【００１９】
本発明に係る引出し構造および移動規制部材によれば、引出し側レール部に傷が付くことを抑制することができる。
【図面の簡単な説明】
【００２０】
【図１】本発明の一実施形態に係る引出し構造を備えたキャビネットが設置されたキッチンを示す斜視図である。
【図２】図１のＡ−Ａ線断面図である。
【図３】図１のＢ−Ｂ線断面図である。
【図４】図２のＣ部拡大図である。
【図５】図３のＤ部拡大図である。
【図６】本発明の一実施形態に係る移動規制部材（移動規制体）を示す斜視図である。
【図７】図３のＤ部拡大図であり、移動規制部材（移動規制体）に下向き片部が設けられていないものとして、引出しが幅方向に一方側に移動してしまった場合の軌跡を二点鎖線で示している。
【発明を実施するための形態】
【００２１】
以下、本発明の一実施形態に係る引出し構造および移動規制部材について、図１から図６に基づいて説明する。
図１は、本発明の一実施形態に係る引出し構造を備えたキャビネットが設置されたキッチンを示す斜視図である。
図１に示すように、本実施形態のキッチンには、床面に設置されたキャビネット（以下、単にキャビネットと称する）１０１、天井に吊り下げられたキャビネット１０２及び換気扇装置１０３が設置されている。
【００２２】
本実施形態では、使用者Ｈがキャビネット１０１に向かって右側に壁Ｗが設けられている。換言すると、正面視で、キャビネット１０１の右側が壁に沿うように、キャビネット１０１はキッチン内に配置されている。
【００２３】
キャビネット１０１には、複数の引出し１１１や、シンク１１２、コンロ１１３、カウンター１１４等が設けられている。本実施形態の引出し構造１は、複数の引出し１１１のうち、コンロ１１３の下方且つ壁Ｗ寄りに配置された小引出し５に設けられている。小引出し５には、主に調味料等の小物が設置可能とされている。
【００２４】
以下の説明において、使用者Ｈが、小引出し５に向かった状態で左右方向となる方向を、幅方向と称する。幅方向のうち、中央側に向かう方向を内側と称し、反対側に向かう方向を外側と称する。使用者Ｈが、小引出し５に向かった状態で手前側を前側と称し、奥側を後側と称し、手前側と奥側とを結ぶ方向を前後方向と称する。
【００２５】
図２は、図１のＡ−Ａ線断面図であり、簡略して示している。図３は、図１のＢ−Ｂ線断面図であり、上部のみを示している。なお、図３では、図１に断面方向を示しているように、後方から見た断面図となっている。
図２及び図３に示すように、引出し構造１は、収納本体２と、一対の受けレール（レール）３と、一対のローラー４（図３参照。以下同じ。）と、小引出し（引出し）５と、移動規制部材（移動規制体）６と、を備えている。
【００２６】
図３に示すように、収納本体２は、幅方向に離間して配置された一対の側板２１と、一対の側板２１の下端部を連結する底板（不図示）と、一対の側板２１の後端部を連結する背板（不図示）と、を有している。収納本体２は、前方が開口している。
【００２７】
各側板２１は、板状に形成されている。側板２１は、板厚方向を幅方向に向けて配置されている。一対の側板２１のうち、幅方向の一方側（使用者Ｈがキャビネットに向かって左側）の側板２１を側板２１Ａと称し、幅方向の他方側（使用者Ｈがキャビネットに向かって右側）の側板２１を側板２１Ｂと称することがある。
【００２８】
一対の受けレール３は、各側板２１に設けられている。一対の受けレール３のうち、側板２１Ａに設けられる受けレール３を受けレール３Ａと称し、側板２１Ｂに設けられる受けレール３を受けレール３Ｂと称することがある。
【００２９】
図２に示すように、受けレール３は、前後方向に延びている。図３に示すように、受けレール３は、固定片部（固定部）３１と、下部片部３２と、上部片部３３と、を有している。固定片部３１、下部片部３２及び上部片部３３は、一体に構成されている。本実施形態では、受けレール３は、金属材料で形成されている。
【００３０】
図４は、図２のＣ部拡大図である。
固定片部３１は、側板２１の内面（幅方向の内側を向く面）２１ｃに設けられている。図４に示すように、固定片部３１は、螺子３１ｔで側板２１に固定されている。
【００３１】
各ローラー４は、各受けレール３の固定片部３１の前端部に設けられている。ローラー４は、幅方向を軸線方向として、軸線回りに回動自在とされている。
【００３２】
図３に示すように、下部片部３２は、固定片部３１の下端部から幅方向の内側に折曲されている。上部片部３３は、固定片部３１の上端部から幅方向の内側に折曲されている。
【００３３】
受けレール（幅方向の他方側に設けられるレール）３Ｂは、上部片部３３の先端部に、下方に向かって折曲された折返し片部３４が設けられている。折返し片部３４は、下方に向かうにしたがって次第に幅方向の内側に向かうように傾斜している。上部片部３３及び折返し片部３４は、ローラー４よりも上方の高さ位置に配置されている。
【００３４】
図４に示すように、下部片部３２及び上部片部３３は、固定片部３１の前端部、つまりローラー４の直上及び直下には設けられていない。
【００３５】
図３に示すように、小引出し５は、一対の側引出し部材５０と、底板部５６と、前板部５７（図２参照。以下同じ。）と、後板部５８（図２参照。以下同じ。）と、を有している。本実施形態では、側引出し部材５０は金属材料で形成され、底板部５６、前板部５７及び後板部５８は木材料で形成されている。
【００３６】
一対の側引出し部材５０は、幅方向に離間して配置されている。
図５は、図３のＤ部拡大図である。
図５に示すように、各側引出し部材５０は、側パネル部５１と、スライド片部（引出し側レール部）５２と、係合片部５３と、下部接合片部５４（図３参照。以下同じ。）と、を有している。
【００３７】
側パネル部５１は、板状に形成されている。側パネル部５１は、板厚方向を幅方向に向けて配置されている。側パネル部５１は、前後方向に長い形状をなしている。側パネル部５１の上部は、上方に向かうにしたがって次第に幅方向の外側に向かうように傾斜している。
【００３８】
スライド片部５２は、側パネル部５１の上端部から幅方向の外側に折曲されている。スライド片部５２は、側パネル部５１の前後方向の略全長にわたって設けられている。スライド片部５２は、ローラー４の上面に支持されている。
【００３９】
スライド片部５２は、ローラー４の回転により、前後方向にスライド可能とされている。これにより、小引出し５は、前後方向に移動可能とされている。
【００４０】
スライド片部５２は、受けレール３の上部片部３３及び折返し片部３４（図３参照。以下同じ。）よりも下方に配置されている。換言すると、スライド片部５２と上部片部３３との間、及びスライド片部５２と折返し片部３４の先端部と間には隙間（クリアランス）が形成されている。この隙間があることで、小引出し５を収納本体２に取り付けたり、小引出し５を収納本体２から取り外したりすることが可能とされている。
【００４１】
係合片部５３は、スライド片部５２の先端部から下方に折曲されている。係合片部５３は、ローラー４上部に、幅方向の外側に沿って配置されている。係合片部５３は、側板２１とローラー４との間に配置されている。係合片部５３がローラー４の上部に係合されることにより、小引出し５の幅方向の内側への移動が規制されている。
【００４２】
図３に示すように、下部接合片部５４は、側パネル部５１の下端部から幅方向の内側に折曲されている。下部接合片部５４は、側パネル部５１の前後方向の略全長にわたって設けられている。
【００４３】
底板部５６は、板状に形成されている。底板部５６は、板厚方向の上下方向に向けて配置されている。底板部５６の幅方向の端部は、側パネル部５１の下端部や下部接合片部５４に接合されている。
【００４４】
図２に示すように、前板部５７は、側引出し部材５０の前端部及び底板部５６の前端部に設けられている。後板部５８は、側引出し部材５０の後端部及び底板部５６の後端部に設けられている。
【００４５】
移動規制部材６は、一対の側板２１のうち幅方向の一方側の配置される側板２１Ａに設けられている。本実施形態では、移動規制部材６は、樹脂材料により形成されている。
【００４６】
図６は、移動規制部材６を示す斜視図である。
図６に示すように、移動規制部材６は、基部６１と、移動規制リブ（移動規制部）６２と、下向き片部６３と、取付補助片部（取付補助部）６４と、を有している。
【００４７】
基部６１は、平板状に形成されている。基部６１は、板厚方向を幅方向に向けて配置されている。基部６１における幅方向の一方側の面（側板２１側を向く面）には、幅方向の他方側に凹む凹部６１ｇが形成されている。基部６１の凹部６１ｇには、レール３の前部の上端部３ｕ（図４参照）が配置されている。
【００４８】
基部６１の上部には、上方に向かうにしたがって次第に幅方向の一方側に向かうように傾斜する中間テーパー部６６が形成されている。
【００４９】
基部６１の前後方向の中間には、板厚方向に貫通する取付孔（螺子固定部）６１ｄが形成されている。図４に示すように、取付孔６１ｄに挿通された螺子６１ｔが、受けレール３に形成された取付孔（不図示）に挿通され、側板２１に螺合されている。移動規制部材６は、螺子６１ｔで側板２１に螺子止めされることで、側板２１に着脱可能に設けられている。
【００５０】
図６に示すように、基部６１の前部には、幅方向の他方側に突出した段部６１ｅが設けられる。移動規制リブ６２は、段部６１ｅの前後方向の中間に設けられている。移動規制リブ６２は、段部６１ｅから幅方向の他方側に突出し、先端部が尖って、上下方向に延在するリブ形状をなしている。
【００５１】
図５に示すように、移動規制リブ６２の下部６２ｄは、受けレール３の上部片部３３よりも下方、且つ小引出し５のスライド片部５２よりも上方に配置されている。
【００５２】
下向き片部６３は、段部６１ｅから下方に延びている。下向き片部６３は、小引出し５の係合片部５３と側板２１との間の隙間に配置される。
【００５３】
取付補助片部６４は、中間テーパー部６６から上方に延びている。取付補助片部６４は、側板２１に沿って配置されている。
【００５４】
図６に示すように、取付補助片部６４の上部には、上方に向かうにしたがって次第に幅方向の一方側に向かうように傾斜する上部テーパー部６７が形成されている。
【００５５】
取付補助片部６４の後部、中間テーパー部６６の後部及び基部６１の後部には、後方に向かうにしたがって次第に幅方向の一方側に向かうように傾斜する後部テーパー部６８が形成されている。
【００５６】
上記の引出し構造１において、使用者Ｈが小引出し５を前方に引き出す際に、小引出し５を幅方向の一方側に寄せて引き出してしまうと、小引出し５の幅方向の他方側の係合片部５３がローラー４上に乗り上げて、小引出し５は幅方向の一方側に変位しようとする。幅方向の一方側では、小引出し５のスライド片部５２または係合片部５３が、スライド片部５２よりも上方に設けられた移動規制リブ６２の下部６２ｄに当接する（図５に示す二点鎖線Ｐ参照）。これにより、小引出し５の幅方向の一方側への移動が規制される。
【００５７】
図７は、図３のＤ部拡大図であり、移動規制部材６に下向き片部６３が設けられていないものとして、小引出し５が幅方向に一方側に移動してしまった場合の軌跡を二点鎖線で示している。
図７に示すように、使用者Ｈが小引出し５を前方に引き出す際に、小引出し５を幅方向の一方側に大きく寄せて引き出してしまうと、移動規制部材６に下向き片部６３が設けられていなければ、小引出し５のスライド片部５２の幅方向の一方側の先端部（角部）及び係合片部５３が移動規制部材６の直下に嵌まり込んでしまう可能性がある（図７の二点鎖線Ｑ参照）。移動規制部材６に下向き片部６３が設けられていることで、使用者Ｈが小引出し５を前方に引き出す際に、小引出し５を幅方向の一方側に大きく寄せて引き出してしまった場合には、小引出し５のスライド片部５２または係合片部５３が下向き片部６３における幅方向の他方側を向く面に当接し、小引出し５幅方向の一方側への移動が規制される。よって、幅方向の他方側において、小引出し５の係合片部５３がローラー４上に乗り上げることがなく、受けレール３の折返し片部３４が小引出し５のスライド片部５２に接触することがない。したがって、小引出し５の幅方向の他方側のスライド片部５２に傷がつくことを抑制することができる。
【００５８】
このように構成された引出し構造１では、使用者Ｈが小引出し５を前方に引き出す際に、小引出し５を幅方向の一方側に寄せて引き出してしまうと、幅方向の一方側では、小引出し５のスライド片部５２または係合片部５３が、スライド片部５２よりも上方に設けられた移動規制リブ６２の下部６２ｄに当接する（図５に示す二点鎖線Ｐ参照）。これにより、小引出し５の幅方向の一方側への移動が規制される。よって、幅方向の他方側において、小引出し５の係合片部５３がローラー４上に乗り上げることがなく、受けレール３の折返し片部３４が小引出し５のスライド片部５２に接触することがない。したがって、小引出し５の幅方向の他方側のスライド片部５２に傷がつくことを抑制することができる。
図１に示すように、引出し構造１が壁Ｗに沿って設けられていると、使用者Ｈは、壁Ｗ寄りに立って、壁Ｗと反対側となる幅方向の一方側に引き出してしまうことがある。よって、引出し構造１を設けて、小引出し５の幅方向の他方側のスライド片部５２に傷がつくことを抑制することは効果的である。
【００５９】
また、使用者Ｈが小引出し５を前方に引き出す際に、小引出し５を幅方向の一方側に寄せて引き出してしまうと、小引出し５のスライド片部５２または係合片部５３が、移動規制リブ６２の下部６２ｄに当接する。移動規制リブ６２は、先端部が尖ったリブ形状をなしているため、係合片部５３または係合片部５３と移動規制リブ６２との当接面積を小さくすることができる。よって、小引出し５を引き出す際の摩擦抵抗が抑えられるため、小引出し５をスムーズに引き出すことができる。
【００６０】
また、移動規制部材６に下向き片部６３が設けられていることで、使用者Ｈが小引出し５を前方に引き出す際に、小引出し５を幅方向の一方側に大きく寄せて引き出してしまった場合には、小引出し５のスライド片部５２または係合片部５３が下向き片部６３における幅方向の他方側を向く面に当接し、小引出し５幅方向の一方側への移動が規制される。よって、幅方向の他方側において、小引出し５の係合片部５３がローラー４上に乗り上げることがなく、受けレール３の折返し片部３４が小引出し５のスライド片部５２に接触することがない。したがって、小引出し５の幅方向の他方側のスライド片部５２に傷がつくことを抑制することができる。
【００６１】
また、移動規制部材６は受けレール３に着脱可能に設けられているため、既存の受けレール３を用いて移動規制部材６を設置することができる。
【００６２】
また、移動規制部材６の基部６１の取付孔６１ｄに螺子６１ｔを挿通して、基部６１を側板２１に取り付ける際には、作業者が取付補助片部６４を側板２１側に押さえつけて（図４の二点鎖線Ｒ参照）取付作業を行うことができ、作業性が良い。
【００６３】
また、移動規制部材６の取付補助片部６４の上部には、上方に向かうにしたがって次第に幅方向の一方側に向かうように傾斜する上部テーパー部６７が形成されている。移動規制部材６の取付補助片部６４の後部、中間テーパー部６６の後部及び基部６１の後部には、後方に向かうにしたがって次第に幅方向の一方側に向かうように傾斜する後部テーパー部６８が形成されている。よって、小引出し５を収納本体２か取り外す際に、小引出し５が移動規制部材６の上部及び後部に干渉することが抑制される。
【００６４】
なお、上述した実施の形態において示した各構成部材の諸形状や組み合わせ等は一例であって、本発明の主旨から逸脱しない範囲において設計要求等に基づき種々変更可能である。
【００６５】
例えば、上記に示す実施形態では、移動規制部はリブ形状をなしているが、本発明はこれに限られない。例えば、移動規制部の先端部が、側板２１と平行な面状に形成されていてもよい。または、移動規制部が、点状に形成され、互いに間隔を有して複数配置されていてもよい。移動規制部の先端部には、幅方向に弾性変形可能なゴムやスポンジ等が設けられ、小引出し５のスライド片部５２または係合片部５３が当接した際の干渉を緩和する構成であってもよい。
【００６６】
また、上記に示す実施形態では、移動規制部材６は下向き片部６３を有しているが、本発明はこれに限られず、移動規制部材６が少なくとも移動規制部を有していればよい。
【００６７】
また、上記に示す実施形態では、移動規制部材６は取付補助片部６４を有しているが、本発明はこれに限られず、取付補助片部６４を有していなくてもよい。また、移動規制部材６が側板２１に螺子６１ｔで固定されているが、本発明はこれに限られず、移動規制部材６は、接着剤や両面テープ等の固定手段により側板２１に固定されていてもよい。
【００６８】
また、上記に示す実施形態では、移動規制部材６は受けレール３と別体で設けられているが、本発明はこれに限られず、移動規制体がレールと一体に形成されていてもよい。
【符号の説明】
【００６９】
１…引出し構造
２…収納本体
３…受けレール（レール）
４…ローラー
５…小引出し（引出し）
６…移動規制部材（移動規制体）
２１…側板
３１…固定片部（固定部）
３２…下部片部
３３…上部片部
３４…折返し片部
５０…側引出し部材
５１…側パネル部
５２…スライド片部（引出し側レール部）
５３…係合片部
６１…基部
６１ｄ…取付孔（螺子固定部）
６１ｔ…螺子
６２…移動規制リブ（移動規制部）
６３…下向き片部
６４…取付補助片部
６７…上部テーパー部
６８…後部テーパー部
【図１】
2020179027.tif 000003
【図２】
2020179027.tif 000004
【図３】
2020179027.tif 000005
【図４】
2020179027.tif 000006
【図５】
2020179027.tif 000007
【図６】
2020179027.tif 000008
【図７】
2020179027.tif 000009